(57)【特許請求の範囲】
【請求項１】
複数個の回転体と、
これら回転体に掛け回される無端状の硬貨搬送ベルトと、
前記複数個の回転体、前記硬貨搬送ベルト、前記複数個の回転体の軸方向両端に位置して各回転体を支持する一対のフレーム部、および前記硬貨搬送ベルトの幅方向両側端をガイドする第１の硬貨通路構成部を有し、少なくとも一方のフレーム部が前記硬貨搬送ベルトの掛け回し形状に略沿った外形状でかつ硬貨搬送ベルトの内側が通過可能とする外形状に形成される第１のフレームと、
前記硬貨搬送ベルトのベルト表面の幅方向両側域をガイドする第２の硬貨通路構成部を有し、前記第１のフレームに対して分離可能に組み合わせられる第２のフレームと、
前記第１のフレームおよび第２のフレームを組み合わせた状態で着脱可能に固定する固定手段と
を具備していることを特徴とする硬貨搬送ベルト装置。
【請求項２】
第２の硬貨通路構成部は、硬貨搬送ベルトの表面をガイドするガイドローラを有している
ことを特徴とする請求項１記載の硬貨搬送ベルト装置。
【請求項３】
第１のフレームおよび第２のフレームの一方は、硬貨搬送ベルトの幅方向に対応する両側面に突設された突部を有し、
第１のフレームおよび第２のフレームの他方は、第１のフレームと第２のフレームとの組み合わせおよび分離に対応して前記突部が係脱される溝部、および第１のフレームおよび第２のフレームの一方の両側面に係合する係合部が設けられた位置決め体を有している
ことを特徴とする請求項１または２記載の硬貨搬送ベルト装置。
【発明の詳細な説明】
【０００１】
【発明の属する技術分野】
本発明は、硬貨を硬貨搬送ベルトで搬送する硬貨搬送ベルト装置に関する。
【０００２】
【従来の技術】
従来、硬貨搬送ベルト装置においては、例えば特開平１０−２２８５５３号公報に記載されているように、複数個の回転体、これら回転体に掛け回される無端状の硬貨搬送ベルト、および硬貨搬送ベルトのベルト表面の幅方向両側域および硬貨搬送ベルトの幅方向両側端をガイドする硬貨通路構成部材などを有しており、複数個の回転体および硬貨通路構成部材によって硬貨搬送ベルトに横搬送ベルト域および上昇搬送ベルト域が形成され、これら横搬送ベルト域および上昇搬送ベルト域のベルト表面が硬貨を搬送する硬貨搬送通路面として構成されている。
【０００３】
そして、硬貨搬送ベルト装置は、硬貨処理機内に組み込まれ、硬貨搬送ベルトの横搬送ベルト域および上昇搬送ベルト域を通じて硬貨を低位置から高位置に上昇搬送するように構成されている。
【０００４】
【発明が解決しようとする課題】
しかしながら、従来の硬貨搬送ベルト装置では、硬貨搬送ベルトの劣化や摩耗などが生じた場合、硬貨搬送ベルトを交換する必要があるが、その硬貨搬送ベルトの交換の容易性については特別に考慮されていなかった。
【０００５】
そのため、硬貨搬送ベルトを交換する場合、例えば、硬貨通路構成部材が硬貨搬送ベルトのベルト表面の幅方向両側域および硬貨搬送ベルトの幅方向両側端をガイドする状態にあるため、少なくとも硬貨搬送ベルトの幅方向一側の硬貨通路構成部材やフレームなどの構成を完全に取り外さなければ、硬貨搬送ベルトを幅方向一側に移動させて外すことができず、したがって、硬貨搬送ベルト装置の大掛かりな分解を必要とし、硬貨搬送ベルトの交換を容易に行なえない問題がある。
【０００６】
本発明は、このような点に鑑みなされたもので、硬貨搬送ベルトを容易に交換できる硬貨搬送ベルト装置を提供することを目的とする。
【０００７】
【課題を解決するための手段】
請求項１記載の硬貨搬送ベルト装置は、複数個の回転体と、これら回転体に掛け回される無端状の硬貨搬送ベルトと、前記複数個の回転体、前記硬貨搬送ベルト、前記複数個の回転体の軸方向両端に位置して各回転体を支持する一対のフレーム部、および前記硬貨搬送ベルトの幅方向両側端をガイドする第１の硬貨通路構成部を有し、少なくとも一方のフレーム部が前記硬貨搬送ベルトの掛け回し形状に略沿った外形状でかつ硬貨搬送ベルトの内側が通過可能とする外形状に形成される第１のフレームと、前記硬貨搬送ベルトのベルト表面の幅方向両側域をガイドする第２の硬貨通路構成部を有し、前記第１のフレームに対して分離可能に組み合わせられる第２のフレームと、前記第１のフレームおよび第２のフレームを組み合わせた状態で着脱可能に固定する固定手段とを具備しているものである。
【０００８】
そして、硬貨搬送ベルトを外す場合には、固定手段を外し、硬貨搬送ベルトの幅方向両側端をガイドする第１の硬貨通路構成部を有する第１のフレームと硬貨搬送ベルトのベルト表面の幅方向両側域をガイドする第２の硬貨通路構成部を有する第２のフレームとを分離して、硬貨搬送ベルトの表面を露出させ、さらに、その硬貨搬送ベルトを、硬貨搬送ベルトの掛け回し形状に略沿った外形状でかつ硬貨搬送ベルトの内側が通過可能とする外形状に形成された一方のフレーム部の外側を通じて第１のフレームから外す。また、硬貨搬送ベルトを取り付ける場合には、硬貨搬送ベルトを外した場合の操作と逆の操作で硬貨搬送ベルトを取り付ける。
【０００９】
請求項２記載の硬貨搬送ベルト装置は、請求項１記載の硬貨搬送ベルト装置において、第２の硬貨通路構成部は、硬貨搬送ベルトの表面をガイドするガイドローラを有しているものである。
【００１０】
そして、第２の硬貨通路構成部が、硬貨搬送ベルトの表面をガイドするガイドローラを有していることにより、硬貨搬送ベルトの回動を円滑にするとともに摩耗を低減させる。
【００１１】
請求項３記載の硬貨搬送ベルト装置は、請求項１または２記載の硬貨搬送ベルト装置において、第１のフレームおよび第２のフレームの一方は、硬貨搬送ベルトの幅方向に対応する両側面に突設された突部を有し、第１のフレームおよび第２のフレームの他方は、第１のフレームと第２のフレームとの組み合わせおよび分離に対応して前記突部が係脱される溝部、および第１のフレームおよび第２のフレームの一方の両側面に係合する係合部が設けられた位置決め体を有しているものである。
【００１２】
そして、第１のフレームと第２のフレームとを組み合わせる際、第１のフレームおよび第２のフレームの一方が有する両側の突部を他方が有する両側の位置決め体の溝部に係合するとともに、一方の両側面が両側の位置決め体の係合部に係合することにより、第１のフレームと第２のフレームとを組み合わせた状態で位置決めする。
【００１３】
【発明の実施の形態】
以下、本発明の一実施の形態を図面を参照して説明する。
【００１４】
図１０において、１１は硬貨処理機（硬貨入出金機）の機体で、この機体１１の上面前部（なお、図１０の機体１１の右側を前部、および左側を後部とし、機体１１の前部から見て左右方向を機体幅方向とする）に入金硬貨の投入または出金硬貨の取り出しが行なわれる入出金口１２が形成され、この入出金口１２には入出金口シャッタ１３が開閉可能に配設されている。
【００１５】
入出金口１２の下方には、入金硬貨または出金硬貨を受け入れる入出金受部１４が配設されている。この入出金受部１４は、機体幅方向に横長の略桶状に形成され、硬貨を受け入れる受入姿勢と硬貨を放出する放出姿勢とに回動される。
【００１６】
入出金受部１４の下方には、硬貨を受け入れて１枚ずつ後述する硬貨搬送部２１へ繰り出す繰出部１５が配設されている。この繰出部１５は、硬貨を受け入れるホッパ１６、このホッパ１６内の硬貨を１枚ずつ上方へ拾い上げて繰り出す突起付きの回転円板１７を備えている。ホッパ１６の底部には異物などの残留物を後述する硬貨搬送ベルト装置７１へ放出させる放出手段１８が設けられている。
【００１７】
繰出部１５の上部には繰出部１５から１枚ずつ繰り出される硬貨を受け入れて搬送する硬貨搬送部２１が接続されている。この硬貨搬送部２１は、機体１１の傾斜機体部分の上部に前後方向に沿って配設され、前端側から後端側に向かって硬貨を搬送する識別分類通路部２２が形成されているとともに、この識別分類通路部２２の後端から上側に折り返して前端側の入出金受部１４へ硬貨を搬送する出金通路部２３が形成されている。硬貨搬送部２１に沿って硬貨を搬送する搬送ベルト２４が張設されている。
【００１８】
識別分類通路部２２の始端側には、搬送ベルト２４で搬送される硬貨の金種や正常・異常を識別する識別部２５が配設されている。識別分類通路部２２の識別部２５より後流側には、搬送される硬貨を通路上から分岐させて振り分けるために、上流側から順に、１円用の振分ゲート２６ａ  、５円用の振分ゲート２６ｂ  、１０円用の振分ゲート２６ｃ  、５０円用の振分ゲート２６ｄ  、１００円用の振分ゲート２６ｅ  、５００円用の振分ゲート２６ｆ  、オーバーフロー用の振分ゲート２６ｇ  、リジェクト用の振分ゲート２６ｈ  が配設されている。
【００１９】
金種別の振分ゲート２６ａ  〜２６ｆ  は、入金処理時または補充処理時に対応する硬貨を通路上から振り分けるもので、これら振分ゲート２６ａ  〜２６ｆ  の下方には、振分ゲート２６ａ  〜２６ｆ  で振り分けられた硬貨を金種別に一時保留する金種別一時保留部２７が配設されている。この金種別一時保留部２７は、金種別の保留筒にて構成され、振分ゲート２６ａ  〜２６ｆ  で振り分けられる硬貨を上下方向に集積状態で一時保留し、入金承認時に下方へ放出し、入金不承認時に機体幅方向の一側（図１０手前側）の後述する横搬送部４１へ放出するように構成されている。
【００２０】
金種別一時保留部２７の下方には、金種別に出金硬貨を収納するとともに投出可能とする金種別出金部２８が配設されている。この金種別出金部２８は、金種別に硬貨を集積状態で収納する収納筒２９を有し、この各収納筒２９内の硬貨を支承機構３０で上下動可能に支承し、収納筒２９の上部を通じて硬貨の出し入れが可能で、金種別一時保留部２７から下方へ放出される硬貨を受入収納するとともに、収納筒２９の上側に配設される投出手段３０ａ  によって硬貨が１枚ずつ後述する横搬送部４１へ投出する。
【００２１】
また、オーバーフロー用の振分ゲート２６ｇ  は、入金処理時に金種別一時保留部２７または金種別出金部２８に収納しきれない入金硬貨をオーバーフロー硬貨として通路上から振り分けるもので、この振分ゲート２６ｇ  の下方には、後述する横搬送部４１（一括一時保留部４２）へ放出するオーバーフローシュート３１が配設されている。このオーバーフローシュート３１の途中には、後述する補充・回収ボックス５３へ回収処理時の硬貨を導く回収シュート３２が接続されているとともに、硬貨をオーバーフローシュート３１の下流側と回収シュート３２とのいずれかに振り分ける振分部材３３が設置されている。
【００２２】
また、リジェクト用の振分ゲート２６ｈ  は、出金処理時または補充処理時のリジェクト硬貨、あるいは入金処理時の後述する横搬送部４１（一括一時保留部４２）上に一時保留された入金硬貨を分岐するもので、この振分ゲート２６ｈ  の下方には、リジェクトボックスシュート３４が配設されている。このリジェクトボックスシュート３４の途中には、図示しない３つのリジェクトボックスシュート部が接続されているとともに、各リジェクトボックスシュート部の入口部分に硬貨を各リジェクトボックスシュート部内と各リジェクトボックスシュート部より下流側とのいずれかに振り分けるリジェクト通路切換部３５，３６，３７が配設されている。各リジェクトボックスシュート部の下端は、上流側のリジェクトボックスシュート部から順に、後述するリジェクトボックス５１の装填リジェクトボックス、回収リジェクトボックス、および取り忘れリジェクトボックスの上面にそれぞれ連通されている。
【００２３】
リジェクトボックスシュート３４の各リジェクトボックスシュート部より下流側にはオーバーフローボックスシュート部３４ａ  が形成され、このオーバーフローボックスシュート部３４ａ  の下端が後述するオーバーフローボックス５２の上面に連通されている。
【００２４】
また、金種別出金部２８の上端近傍の側方でかつ繰出部１５からオーバーフローシュート３１の下方（後述するオーバーフローボックス５２の上方）の領域にわたって、横搬送部４１が配設されている。この横搬送部４１は、硬貨を載せて搬送するベルトコンベヤにて構成され、入金処理時に金種別一時保留部２７から放出される入金の返却硬貨、またはオーバーフローシュート３１から放出される入金硬貨（オーバーフロー硬貨）を受け入れるとともに、出金処理時に金種別出金部２８から投出される出金硬貨を受け入れ、ベルトの正転時に硬貨を繰出部１５へ向けて搬送し、逆転時に硬貨を後述するオーバーフローボックス５２へ向けて搬送するように構成されている。そして、横搬送部４１上のオーバーフローシュート３１の下方域には、オーバーフローシュート３１で導かれる入金硬貨を一括して一時保留する一括一時保留部４２が形成されている。
【００２５】
横搬送部４１の前端側および後端側の上方には横搬送部ゲート４３，４４が開閉可能に配設され、この横搬送部ゲート４３，４４の閉鎖によって横搬送部４１の端部からの硬貨の落下が規制されるとともに、開放によって横搬送部４１の端部からの硬貨の放出が許容される。
【００２６】
横搬送部４１の後方には、一括一時保留部４２に一時保留された一括一時保留硬貨の収納時に、横搬送部４１の逆転によって横搬送部４１の後端から放出される一括一時保留硬貨を、後述するオーバーフローボックス５２に導くオーバーフローボックスシュート４５が配設されている。
【００２７】
また、機体１１の後部には、リジェクトボックス５１、オーバーフローボックス５２、補充・回収ボックス５３が上側から下側にわたってそれぞれ配置されているとともに、各ボックス５１，５２，５３とも機体１１の後部から着脱可能に構成されている。
【００２８】
リジェクトボックス５１は、図示しない装填リジェクトボックス、回収リジェクトボックスおよび取り忘れリジェクトボックスを一体に有し、これら各リジェクトボックスにリジェクトボックスシュート３４の対応する各リジェクトボックスシュート部からリジェクト硬貨が受け入れられる。装填リジェクトボックスには、補充処理時に機体１１内に投入される存高管理されていない補充硬貨において識別部２５で異常と識別されたリジェクト硬貨が収納され、また、回収リジェクトボックスには、出金処理時や機体１１内での補充処理時にその機体１１内で存高管理されている硬貨において識別部２５で異常と識別されたリジェクト硬貨が収納され、また、取り忘れリジェクトボックスには、出金処理時に入出金受部１４に払い出された出金硬貨が取り忘れられた際に回収される取り忘れ硬貨が収納される。
【００２９】
オーバーフローボックス５２は、箱状に形成され、オーバーフローボックスシュート４５から硬貨が受け入れられるとともに、リジェクトボックスシュート３４のオーバーフローボックスシュート部３４ａ  から硬貨が受け入れられる。オーバーフローボックス５２の前面下部には、オーバーフローボックス５２内の硬貨が繰り出される繰出口６１が形成され、また、オーバーフローボックス５２内には、オーバーフローボックス５２の底面を構成するとともに繰出口６１に向けて硬貨を繰り出すベルトコンベヤにて構成された繰出搬送部６２が配設されている。繰出搬送部６２の繰出口６１に臨む端部の上方には、繰出搬送部６２の上面に対して逆方向に回転されて硬貨の繰出量を規制する逆転ローラ６３が配設されている。繰出口６１の内側にはその繰出口６１を開閉する図示しないシャッタが配設され、繰出口６１の外側には繰り出された硬貨を後述する硬貨搬送ベルト装置７１に導く繰出シュート６４が配設されている。
【００３０】
補充・回収ボックス５３は、箱状に形成され、回収シュート３２から硬貨が受け入れられる。補充・回収ボックス５３の前面下部には補充・回収ボックス５３内の硬貨を後述する硬貨搬送ベルト装置７１へ繰り出す繰出口６５が形成され、また、補充・回収ボックス５３内には、補充・回収ボックス５３の底面を構成するとともに繰出口６５に向けて硬貨を繰り出すベルトコンベヤにて構成された繰出搬送部６６が配設されている。繰出搬送部６６の繰出口６５に臨む端部の上方には、繰出搬送部６６の上面に対して逆方向に回転されて硬貨の繰出量を規制する逆転ローラ６７が配設されている。繰出口６５の内側にはその繰出口６５を開閉する図示しないシャッタが配設され、繰出口６５の外側には繰り出された硬貨を後述する硬貨搬送ベルト装置７１に導く繰出シュート６８が配設されている。
【００３１】
また、機体１１の底部域から前部域にわたって硬貨搬送ベルト装置７１が配設されている。この硬貨搬送ベルト装置７１は、フレーム７２、このフレーム７２に支持された複数個の回転体７３、これら回転体７３に掛け回された無端状の硬貨搬送ベルト７４、および硬貨搬送ベルト７４をガイドする後述する第１の硬貨通路構成部１１５  および第２の硬貨通路構成部１３４  、硬貨搬送ベルト７４を回動させる駆動手段としてのモータ７５などを備えている。
【００３２】
硬貨搬送ベルト７４には、機体１１の底部域に配設されて硬貨を載せて搬送する横搬送ベルト域７６、および機体１１の前部域に配設されて硬貨を上昇搬送する上昇搬送ベルト域７７が形成されている。上昇搬送ベルト域７７には、傾斜搬送ベルト域７７ａ  および垂直搬送ベルト域７７ｂ  が形成されている。これら横搬送ベルト域７６および上昇搬送ベルト域７７のベルト表面が硬貨を搬送する硬貨搬送通路面７８として形成されている。
【００３３】
硬貨搬送ベルト７４の後端位置に対応したフレーム７２の後端側には図示しないソレノイドによって開閉駆動されるゲート７９が配設され、このゲート７９の閉鎖によって硬貨搬送ベルト７４の後端からの硬貨の落下が規制されるとともに、開放によって硬貨搬送ベルト７４の逆回転時（硬貨搬送ベルト７４の上面が後方へ移動する）後端からの残留物の放出が許容される。
【００３４】
また、機体１１側には、硬貨搬送ベルト７４の後端位置に対応して残留物回収ボックス８０が機体１１に対して着脱可能に配設され、この残留物回収ボックス８０に硬貨搬送ベルト７４から放出される残留物が受け入れられる。
【００３５】
さらに、機体１１側には、硬貨搬送ベルト７４の垂直搬送ベルト域７７ｂ  に対向して、機体側通路構成部８１が配設されている。この機体側通路構成部８１は、硬貨搬送ベルト７４のベルト表面の幅方向両側域をガイドする回転自在の複数のガイドローラ８２、および硬貨搬送ベルト７４のベルト表面に対向して硬貨搬送ベルト７４で上昇される硬貨をガイドする複数のガイド板８３を有している。機体側通路構成部８１の下部には、硬貨詰まり検知機構８４が配設されている（詳細は後述する）。
【００３６】
そして、補充処理時または回収処理時に、オーバーフローボックス５２または補充・回収ボックス５３から繰り出される硬貨を硬貨搬送ベルト７４上に受け入れ、硬貨搬送ベルト７４の正回転によって硬貨を入出金受部１４へ搬送するように構成されている。また、繰出部１５に残留する残留物の回収時に、放出手段１８で放出される残留物を硬貨搬送ベルト７４上に受け入れ、硬貨搬送ベルト７４の逆回転によって残留物を残留物回収ボックス８０へ搬送するように構成されている。
【００３７】
次に、硬貨搬送ベルト装置７１の構成の詳細について説明する。
【００３８】
図１に示すように、硬貨搬送ベルト装置７１は、フレーム７２が残留物回収ボックス８０から外れるように機体１１の前方へ所定距離だけ移動させた後、機体１１の右側面（図１の手前側）に機体１１内から着脱可能に構成されている。
【００３９】
硬貨搬送ベルト７４は、例えばゴムなどの材質で、帯状かつ無端状に形成されており、図５ないし図７に示すように、ベルト本体９１を有し、このベルト本体９１の表面側は硬貨と接する側で平坦状に形成され、裏面側にはベルト幅方向に沿って突設された複数の突部９２が硬貨搬送方向すなわちベルト長手方向に沿って所定ピッチで形成されている。すなわち、ベルト本体９１にはタイミングベルトが用いられている。ベルト本体９１には、ベルト幅方向に２箇所でかつベルト長手方向に所定のピッチで、複数の突起体９３がベルト表裏面に貫通して保持された状態に取り付けられている。ベルト幅方向に並ぶ一対の突起体９３の間隔は硬貨の直径より狭く形成され、ベルト長手方向に並ぶ突起体９３の間隔は硬貨の直径より広く（例えば６ｃｍ）形成されている。
【００４０】
また、フレーム７２は、図１および図２に示すように、分離可能に組み合わせられる第１のフレーム１０１  および第２のフレーム１０２  を有し、さらに、第１のフレーム１０１  の上部に分離可能に組み合わされた第３のフレーム１０３  を有している。なお、第３のフレーム１０３  は、第１のフレーム１０１  の一部として構成されている。
【００４１】
第１のフレーム１０１  は、図１ないし図６に示すように、硬貨搬送ベルト７４の幅方向両側（回転体７３の軸方向両端）に対応して配設される両側の一対のフレーム部１１１  を有し、これら一対のフレーム部１１１  が支え部１１２  で連結されて一体に形成されている。なお、第３のフレーム１０３  の両側部もフレーム部１１１  の一部として構成される。
【００４２】
一対のフレーム部１１１  は、硬貨搬送ベルト７４の掛け回し形状に略沿った略Ｌ字状の外形状で、第２のフレーム１０２  と接合される縁部である接合部１１３  が硬貨搬送ベルト７４の横搬送ベルト域７６および傾斜搬送ベルト域７７ａ  に略沿った形状に形成されている。支え部１１２  は、接合部１１３  の形成領域に対応して形成されており、硬貨搬送ベルト７４の裏面側を支えてガイドするもので、そのベルトガイド面には硬貨搬送ベルト７４の裏面側に突出する各突起体９３が移動する一対の溝部１１４  が形成されている。一対のフレーム部１１１  の接合部１１３  の内側位置でかつ支え部１１２  上の両側位置には硬貨搬送ベルト７４の幅方向両側端を規制してガイドする第１の硬貨通路構成部１１５  が形成されている。したがって、一対のフレーム部１１１  の接合部１１３  、支え部１１２  、および第１の硬貨通路構成部１１５  は、硬貨搬送ベルト７４の横搬送ベルト域７６および傾斜搬送ベルト域７７ａ  に略沿った形状に形成されている。
【００４３】
一方のフレーム部１１１  の前端下部には切欠部１１６  が形成され、これにより、一方のフレーム部１１１  は、硬貨搬送ベルト７４の掛け回し形状（硬貨搬送ベルト７４の硬貨搬送通路面７８の形状）に略沿った外形状でかつ硬貨搬送ベルト７４の内側を通過可能とする外形状に形成されている。
【００４４】
また、一対のフレーム部１１１  間には複数の回転体７３が回転自在に軸支されており、これら回転体７３は、切欠部１１６  の上側の回転体７３ａ  、切欠部１１６  の後側の回転体７３ｂ  、および後端近傍の回転体７３ｃ  を有し、これら複数の回転体７３ａ  〜７３ｃ  と第３のフレーム１０３  の上端に回転自在に軸支された回転体７３ｄ  とに硬貨搬送ベルト７４が掛け回されている。各回転体７３の周面には硬貨搬送ベルト７４の裏面側に突出する各突起体９３が移動する一対の溝部１２１  が形成されている。
【００４５】
切欠部１１６  の上側の回転体７３ａ  は、モータ７５から回転駆動力が伝達される駆動用とされている。モータ７５は他方のフレーム部１１１  の内側に取り付けられ、他方のフレーム部１１１  の外側において、モータ７５の駆動軸に取り付けられたプーリ１２２  と回転体７３ａ  の回転軸に取り付けられたプーリ１２３  とに駆動伝達ベルト１２４  が張設されて、駆動伝達が行なわれるように構成されている。
【００４６】
切欠部１１６  の上側の回転体７３ａ  の後方には、硬貨搬送ベルト７４の表面側をガイドする回転体７３ｅ  が着脱可能に配設されている。この回転体７３ｅ  は、一対のフレーム部１１１  の外側に配設されるアーム１２５  に回転自在に支持され、このアーム１２５  がフレーム部１１１  にねじ止めされるねじ１２６  によって締付固定されている。アーム１２５  には略Ｕ字状の長溝１２７  が形成され、この長溝１２７  を介してねじ１２６  に対して移動および着脱可能になっている。なお、図３にはねじ１２６  が螺着されるねじ孔１２８  を示している。
【００４７】
また、第２のフレーム１０２  は、硬貨搬送ベルト７４の幅方向両側（回転体７３の軸方向両端）に対応して配設される両側の一対のフレーム部１３１  を有し、これら一対のフレーム部１３１  が連結部１３２  で連結されて一体に形成されている。
【００４８】
一対のフレーム部１３１  は、硬貨搬送ベルト７４の横搬送ベルト域７６および傾斜搬送ベルト域７７ａ  に略沿った略Ｌ字状の外形状に形成され、縁部には第１のフレーム１０１  の接合部１１３  と接合される接合部１３３  が形成されている。すなわち、接合部１３３  は、硬貨搬送ベルト７４の横搬送ベルト域７６および傾斜搬送ベルト域７７ａ  に略沿った形状に形成されている。
【００４９】
一対のフレーム部１３１  の接合部１１３  の内側位置には硬貨搬送ベルト７４のベルト表面の幅方向両側域を規制してガイドする第２の硬貨通路構成部１３４  が形成されている。この第２の硬貨通路構成部１３４  は、一対のフレーム部１３１  の内面から突出する断面略三角形状のガイド部１３５  を有するとともに、このガイド部１３５  の部分に回転自在に配設された複数のガイドローラ１３６  を有している。ガイドローラ１３６  の周面はガイド部１３５  より突出され、このガイドローラ１３６  の周面が硬貨搬送ベルト７４のベルト表面の幅方向両側域に接触してガイドするように構成されている。
【００５０】
したがって、一対のフレーム部１３１  の接合部１３３  、および第２の硬貨通路構成部１３４  は、硬貨搬送ベルト７４の横搬送ベルト域７６および傾斜搬送ベルト域７７ａ  に略沿った形状に形成されている。
【００５１】
連結部１３２  は、一対のフレーム部１３１  の接合部１１３  と反対側の縁部に形成されている。一対のフレーム部１３１  の後端側には連結部１３２  が設けられずに繰出シュート６４，６８から硬貨を受け入れる開口部１３７  が形成され、上端側には繰出部１５の放出手段１８から放出される残留物を受け入れる開口部１３８  が形成されている。
【００５２】
一方のフレーム部１３１  には複数の窓部１３９  が形成され、他方のフレーム部１３１  には各窓部１３９  に対向して取付孔１４０  が形成され、これら各窓部１３９  および取付孔１４０  を通じて各ねじ１４１  を機体１１側に螺着することにより、第２のフレーム１０２  が機体１１側に固定されるように構成されている。
【００５３】
一対のフレーム部１３１  の後端間にはゲート７９が揺動軸１４２  によって回転自在に軸支され、この揺動軸１４２  が一方のフレーム部１３１  の外側面に取り付けられる図示しないソレノイドによって開閉駆動される。
【００５４】
また、第１のフレーム１０１  と第２のフレーム１０２  とは、後端側の第１の固定箇所、中間の第２の固定箇所、および上端側の第３の固定箇所がそれぞれ固定手段１５１  によって分離可能に位置決め固定される。
【００５５】
第１の固定箇所の固定手段１５１  は、第１のフレーム１０１  の後端両側に回転体７３ｃ  と同軸に回転自在に配設された突部としてのローラ１５２  、および第２のフレーム１０２  の後端両側に固定された位置決め体１５３  を有している。位置決め体１５３  には、第２のフレーム１０２  の下方に突出して第１のフレーム１０１  の両側面に係合する係合部１５４  が形成され、この係合部１５４  には第１のフレーム１０１  と第２のフレーム１０２  とを前後方向から組み合わせまたは分離することによりローラ１５２  が係脱される溝部１５５  が前方へ向けて開口形成されている。なお、溝部１５５  は、前端下縁が前方へ下がり傾斜して、上下方向の溝間隔が広く形成され、ローラ１５２  が係合しやすくなっている。
【００５６】
第２の固定箇所の固定手段１５１  は、第２のフレーム１０２  の他方のフレーム部１３１  の外側に固定された取付片１５６  を有し、この取付片１５６  の先端が第１のフレーム１０１  の他方のフレーム部１１１  の外側域に突出されており、第１のフレーム１０１  の他方のフレーム部１１１  に形成された取付孔１５７  を通じて固定部材としてのねじ１５８  を螺着することによって締付固定される。
【００５７】
第３の固定箇所の固定手段１５１  は、第２のフレーム１０２  の上端両側に固定された一対の保持片１５９  を有し、この各保持片１５９  の先端が第１のフレーム１０１  の両側域に突出されており、各保持片１５９  、第１のフレーム１０１  および第３のフレーム１０３  に固定部材としての連結軸１６０  が挿通されて互いに固定されている。なお、図３には連結軸１６０  が挿通される第１のフレーム１０１  の挿通孔１６１  を示している。
【００５８】
また、第３のフレーム１０３  は、硬貨搬送ベルト７４の垂直搬送ベルト域７７ｂ  の掛け回し形状に略沿った外形状に形成されている。図７に示すように、第３のフレーム１０３  は、硬貨搬送ベルト７４の裏面をガイドする支え部１７１  、およびこの支え部１７１  の両側で硬貨搬送ベルト７４の幅方向両側端を規制してガイドする第３の硬貨通路構成部１７２  を有する断面略コ字状に形成されている。支え部１７１  のベルトガイド面には硬貨搬送ベルト７４の裏面側に突出する各突起体９３が移動する一対の溝部１７３  が形成されている。なお、支え部１７１  および第３の硬貨通路構成部１７２  は、第１のフレーム１０１  の支え部１１２  および第１の硬貨通路構成部１１５  の一部として構成される。
【００５９】
第３のフレーム１０３  の下端は、支え部１７１  および第３の硬貨通路構成部１７２  が第１のフレーム１０１  の支え部１１２  および第１の硬貨通路構成部１１５  の上端に連続するように傾斜状に形成されている。支え部１７１  の下端は第１のフレーム１０１  の一対のフレーム部１１１  間に係合されるように突出形成され、第３の硬貨通路構成部１７２の下端にはフレーム部１１１  の上面に係合する係合部１７４  が形成されている  。そして、第３のフレーム１０３  の下端は、第１のフレーム１０１  に組み合わされた状態で第１のフレーム１０１  の一方のフレーム部１１１  側から挿通されるねじ１７５  で第１のフレーム１０１  に分離可能に固定されている。支え部１７１  には連結軸１６０  が挿通される挿通孔１７６  が形成されている。
【００６０】
第３のフレーム１０３  の上端には、回転体７３ｄ  の両端を回転自在に軸支する一対の支え片１７７  が取り付けられている。なお、第１のフレーム１０１  から第３のフレーム１０３  を分離するときは、ねじ１７５  を外すことと連結軸１６０  を挿通孔１７６  から抜く両方を行なう必要がある。
【００６１】
また、図８および図９に示すように、機体１１側の硬貨詰まり検知機構８４は、硬貨搬送ベルト７４のベルト表面に対向して配置される検知レバー１８１  を有し、この検知レバー１８１  の上端が機体１１側に回転自在に支持された支軸１８２  に固定されている。支軸１８２  にはばね１８３  が装着され、このばね１８３  によって検知レバー１８１  の下端が硬貨搬送ベルト７４に接近する方向に回動付勢されている。検知レバー１８１  の硬貨搬送ベルト７４に接近する方向への揺動は、検知レバー１８１  と硬貨搬送ベルト７４との間隔が突起体９３の通過を許容し得る所定の間隔となる位置で図示しないストッパによって規制される。支軸１８２  には作動板１８４  が固定され、この作動板１８４  に対応してマイクロスイッチ１８５  が配設されている。そして、検知レバー１８１  が硬貨搬送ベルト７４に接近された位置（図８の実線位置）で作動板１８４  で押動されるマイクロスイッチ１８５  がオンし、また、検知レバー１８１  と硬貨搬送ベルト７４との間に硬貨が噛み込んで検知レバー１８１  が揺動（図８の２点鎖線位置）されると、作動板１８４  が離反してマイクロスイッチ１８５  がオフされ、硬貨詰まりが検知される。
【００６２】
なお、検知レバー１８１  の両側には、機体１１側のガイド板８３およびガイドローラ８２が配設されているとともに、このれらガイド板８３の下側には第２のフレーム１０２  の第２の硬貨通路構成部１３４  のガイド部１３５  と同様に硬貨搬送ベルト７４のベルト表面の幅方向両側域を規制してガイドするガイド部材１８６  が配設されている。
【００６３】
次に、本実施の形態の作用を説明する。
【００６４】
図１０において、入金処理時には、機械操作者によって入金操作指令がなされると、入出金口１２の入出金口シャッタ１３が開放され、機械操作者によって入金硬貨が入出金口１２を通じて受入姿勢にある入出金受部１４に投入されると、入出金口シャッタ１３が閉鎖されるとともに、入出金受部１４が放出姿勢に反転され、入出金受部１４内の入金硬貨が下方の繰出部１５に放出される。入出金受部１４は硬貨の放出後に受入姿勢に戻される。
【００６５】
繰出部１５に放出された硬貨は、繰出部１５から１枚ずつ硬貨搬送部２１の識別分類通路部２２に繰り出され、識別分類通路部２２内を１枚ずつ搬送されながら識別部２５で識別される。識別部２５で正常と識別された硬貨は、対応する金種の振分ゲート２６ａ  〜２６ｆ  によって通路上から振り分けられ、金種別一時保留部２７に金種別に一時保留される。
【００６６】
識別部２５で正常と識別されたが、金種別一時保留部２７または金種別出金部２８に収納しきれない入金硬貨は、オーバーフロー硬貨として、金種別の振分ゲート２６ａ  〜２６ｆ  ではなく、オーバーフロー用の振分ゲート２６ｇ  で通路上から振り分けられ、オーバーフローシュート３１を通じて、横搬送部４１上の一括一時保留部４２に一括して一時保留される。
【００６７】
識別部２５で異常と識別された硬貨は、硬貨搬送部２１の識別分類通路部２２から出金通路部２３を通じて入出金受部１４に戻されるとともに、入出金口シャッタ１３が開放されることにより、機械操作者によって取出可能になる。
【００６８】
投入された全ての入金硬貨について識別および振分が完了すると、計数結果が機械操作者に対して表示され、機械操作者によって入金の承認、不承認の操作がなされる。
【００６９】
機械操作者によって入金の承認がなされた場合には、金種別一時保留部２７に金種別に一時保留されていた金種別一時保留貨は下方へ放出されて金種別出金部２８に金種別に収納され、一括一時保留部４２に一括して一時保留されていた一括一時保留硬貨は横搬送部４１からオーバーフローボックスシュート４５を通じてオーバーフローボックス５２に一括して収納される。このとき、オーバーフローボックスシュート４５によって硬貨が収納される付近で硬貨が山盛りとなって図示しない検知部でオーバーフローボックス５２のフル状態が検知されたときには、横搬送部４１上の硬貨を、繰出部１５、硬貨搬送部２１の識別分類通路部２２、リジェクト用の振分ゲート２６ｈ  、リジェクトボックスシュート３４のオーバーフローボックスシュート部３４ａ  を通じて、オーバーフローボックス５２の別の場所である空きスペースに収納される。
【００７０】
入金硬貨の一時保留後に、機械操作者によって入金の不承認がなされた場合には、金種別一時保留部２７に金種別に一時保留されていた金種別一時保留貨が横搬送部４１上に放出され、一括一時保留部４２に一括一時保留されていた場合にはその硬貨と一緒にされる。横搬送部４１上の入金返却硬貨は、横搬送部４１から繰出部１５に搬送され、硬貨搬送部２１の識別分類通路部２２および出金通路部２３を通じて入出金受部１４に戻され、入出金口シャッタ１３が開放されることにより、機械操作者によって取出可能とされる。
【００７１】
なお、入金処理毎または繰出部１５の図示しない残留検知センサによる残留物検知時に繰出部１５の放出手段１８が開放される。仮に、クリップなどの残留物が残留していた場合には、その残留物が硬貨搬送ベルト装置７１へ放出され、ゲート７９の開放、および硬貨搬送ベルト７４の逆回転によって、残留物が残留物回収ボックス８０に回収される。
【００７２】
また、出金処理時には、機械操作者によって出金金額（金種や枚数）が入力されると、指定された金種の金種別出金部２８から指定された枚数の硬貨が横搬送部４１上に投出される。横搬送部４１上の出金硬貨は、横搬送部４１から繰出部１５に搬送され、繰出部１５から１枚ずつ硬貨搬送部２１の識別分類通路部２２に繰り出されて搬送される。識別分類通路部２２を搬送される硬貨は識別部２５で識別され、正常と識別された硬貨は出金通路部２３を通じて入出金受部１４に搬送され、異常と識別されたリジェクト硬貨はリジェクト用の振分ゲート２６ｈ  で通路上から分岐され、リジェクトボックスシュート３４、リジェクト通路切換部３６などを通じてリジェクトボックス５１の回収リジェクトボックスに回収される。リジェクト硬貨が識別されて回収された場合には、不足する金種の硬貨が金種別出金部２８から投出される。
【００７３】
指定された出金金額分の出金硬貨が入出金受部１４に搬送されたら、入出金口シャッタ１３が開放され、機械操作者によって取出可能とされる。
【００７４】
なお、出金処理時や入金処理時の硬貨返却時に入出金受部１４に搬送された硬貨が機械操作者によって取り出されない場合には、取り忘れ硬貨として回収される。すなわち、入出金受部１４の取り忘れ硬貨が、繰出部１５、硬貨搬送部２１の識別分類通路部２２に送られ、識別部２５で識別され、振分ゲート２６ｈ  、リジェクトボックスシュート３４、リジェクト通路切換部３７などを通じて、リジェクトボックス５１の取り忘れリジェクトボックスに回収される。
【００７５】
また、補充処理時には、補充・回収ボックス５３内の補充硬貨が、硬貨搬送ベルト装置７１の横搬送ベルト域７６に繰り出され、この硬貨搬送ベルト装置７１の駆動により、横搬送ベルト域７６から、上昇搬送ベルト域７７、入出金受部１４（放出状態にある）、繰出部１５、硬貨搬送部２１の識別分類通路部２２に送られ、識別部２５で識別される。正常と識別された補充硬貨は対応する振分ゲート２６ａ  〜２６ｆ  で通路上から振り分けられて金種別出金部２８に収納され、異常と識別されたリジェクト硬貨は振分ゲート２６ｈ  で通路上から振り分けられてリジェクトボックスシュート３４、リジェクト通路切換部３５などを通じてリジェクトボックス５１の装填リジェクトボックスに回収される。
【００７６】
また、回収処理時には、金種別出金部２８内の硬貨が、横搬送部４１に投出され、横搬送部４１から繰出部１５、硬貨搬送部２１の識別分類通路部２２に送られ、識別部２５で識別され、オーバーフロー用の振分ゲート２６ｇ  、回収シュート３２を通じて補充・回収ボックス５３に回収される。金種別出金部２８内の硬貨の回収後、オーバーフローボックス５２内の硬貨が、繰出シュート６４に繰り出され、硬貨搬送装置７１、入出金受部１４（放出状態にある）、繰出部１５、硬貨搬送部２１の識別分類通路部２２に送られ、識別部２５で識別され、オーバーフロー用の振分ゲート２６ｇ  、回収シュート３２を通じて補充・回収ボックス５３に回収される。
【００７７】
次に、硬貨搬送ベルト装置７１の作用を説明する。
【００７８】
補充処理時または回収処理時において、補充・回収ボックス５３またはオーバーフローボックス５２から繰り出される硬貨は、開口部１３７  を通じて第２のフレーム１０２  内に受け入れられ、硬貨搬送ベルト７４の横搬送ベルト域７６上に載置される。硬貨搬送ベルト７４が正回転されると、横搬送ベルト域７６においては、ベルト本体９１上の硬貨が複数の突起体９３で押動されながら前方の上昇搬送ベルト域７７へ向けて搬送され、横搬送ベルト域７６から上昇搬送ベルト域７７の傾斜搬送ベルト域７７ａ  に移行する際に、ベルト幅方向の一対の突起体９３間に１枚または複数枚の硬貨が掬い上げられて上昇搬送ベルト域７７の傾斜搬送ベルト域７７ａ  および垂直搬送ベルト域７７ｂ  を上昇され、垂直搬送ベルト域７７ｂ  の上端から入出金受部１４に硬貨が放出される。
【００７９】
硬貨搬送ベルト７４の横搬送ベルト域７６および上昇搬送ベルト域７７の裏面側は、第１のフレーム１０１  の支え部１１２  および第２のフレーム１０２  の支え部１７１  で支持され、硬貨搬送ベルト７４の幅方向両側端が第１のフレーム１０１  の第１の硬貨通路構成部１１５  および第３のフレーム１０３  の第３の硬貨通路構成部１７２  で規制ガイドされ、硬貨搬送ベルト７４のベルト表面の幅方向両側域が第２のフレーム１０２  の第２の硬貨通路構成部１３４  のガイド部１３５  およびガイドローラ１３６  で規制ガイドされるとともに機体側通路構成部８１で規制ガイドされる。
【００８０】
また、上昇搬送ベルト域７７の傾斜搬送ベルト域７７ａ  から垂直搬送ベルト域７７ｂ  に硬貨が移行する際、垂直搬送ベルト域７７ｂ  の入口付近に多量の硬貨が送り込まれて硬貨詰まりが生じると、その硬貨で検知レバー１８１  が揺動されてマイクロスイッチ１８５  がオフされる。このマイクロスイッチ１８５  がオフにより、硬貨搬送ベルト７２が停止されるとともに逆回転され、硬貨詰まりが解消される。
【００８１】
次に、硬貨搬送ベルト７４を交換する際の手順を説明する。
【００８２】
図１において、第２のフレーム１０２  を機体１１側に固定している２箇所のねじ１４１  を外した後、硬貨搬送ベルト装置７１をフレーム７２が残留物回収ボックス８０から外れるように機体１１の架台１１ａ  （硬貨搬送ベルト装置７１の高さをねじ１４１  の孔に保持）に沿わせて前方へ所定距離移動させてから機体１１の右側面（図１の手前側）に移動させることにより、機体１１内から取り出す。
【００８３】
図２には機体１１内から取り出された硬貨搬送ベルト装置７１を示す。この状態では、機体側通路構成部８１を介して第３のフレーム１０３  側に押し付けられて張力が付与されていた硬貨搬送ベルト７４が緩む状態となる。このとき、主として、第２のフレーム１０２  の上端側で硬貨搬送ベルト７４を第３のフレーム１０３  との間に保持するガイドローラ１３６  と、第３のフレーム１０３  の上端の回転体７３ｄ  との間で、硬貨搬送ベルト７４にたるみが生じる。
【００８４】
そして、第１のフレーム１０１  と第２のフレーム１０２  とを固定しているねじ１５８  を外すとともに連結軸１６０  を引き抜いた後、第１のフレーム１０１  を前方へ、第２のフレーム１０２  を後方へそれぞれ相対的に移動させることにより、第１のフレーム１０１  のローラ１５２  と第２のフレーム１０２  の位置決め体１５３  との係合を外すとともに、第２のフレーム１０２  の一対の保持片１５９  を第１のフレーム１０１  の両側から外し、第１のフレーム１０１  と第２のフレーム１０２  とを分離する。
【００８５】
図３には第１のフレーム１０１  を分離した第２のフレーム１０２  （但し、硬貨搬送ベルト７４も外した状態）を示す。この状態では、第２のフレーム１０２  で覆われていた硬貨搬送ベルト７４の横搬送ベルト域７６および上昇搬送ベルト域７７の傾斜搬送ベルト域７７ａ  が外部に露出され、後端の回転体７３ｃ  と上端の回転体７３ｄ  との間で硬貨搬送ベルト７４にたるみが生じる。そして、ねじ１２６  を外し、アーム１２５  および回転体７３ｅ  を斜め下方へ移動させて第１のフレーム１０１  から外した後、緩んだ状態にあるとともにベルト表面側に規制する部材がなくなった状態の硬貨搬送ベルト７４を第１のフレーム１０１  の一方のフレーム部１１１  および第３のフレーム１０３  の外側を越すように移動させて外す。
【００８６】
また、硬貨搬送ベルト７４を取り付けて、硬貨搬送ベルト装置７１を機体１１に戻す場合には、取り外しと逆の操作で行なう。すなわち、硬貨搬送ベルト７４を第１のフレーム１０１  の一方のフレーム部１１１  および第３のフレーム１０３  の外側を越すようにして第１のフレーム１０１  および第３のフレーム１０３  に装着し、回転体７３ｅ  を組み込み、回転体７３ｅ  のアーム１２５  をねじ１２６  で第１のフレーム１０１  に締付固定する。
【００８７】
第１のフレーム１０１  の接合部１１３  と第２のフレーム１０２  の接合部１３３  とが接合するように組み合わせて、第１のフレーム１０１  を後方へ、第２のフレーム１０２  を前方へそれぞれ相対的に移動させることにより、第２のフレーム１０２  の位置決め体１５３  が第１のフレーム１０１  の両側に係合するとともに位置決め体１５３  の溝部１５５  に第１のフレーム１０１  のローラ１５２  が係合し、かつ、第２のフレーム１０２  の一対の保持片１５９  が第１のフレーム１０１  の両側に係合し、第１のフレーム１０１  と第２のフレーム１０２  とを互いに位置決めする。この状態で、ねじ１５８  を螺着、および連結軸１６０を挿通し、第１のフレーム１０１  と第２のフレーム１０２  とを固定する  （図２に示す状態）。
【００８８】
硬貨搬送ベルト装置７１を機体１１の右側面から機体１１内の架台１１ａ  に載せ、架台１１ａ  に沿わせて機体１１内に挿入してから後方へ移動させることにより、硬貨搬送ベルト７４の垂直搬送ベルト域７７ｂ  を機体側通路構成部８１に押し付け、硬貨搬送ベルト７４に張力を付与する。この状態で硬貨搬送ベルト装置７１の機体１１内への装填を完了する。
【００８９】
以上のように、複数個の回転体７３と、これら回転体７３に掛け回される無端状の硬貨搬送ベルト７４と、この硬貨搬送ベルト７４のベルト表面の幅方向両側域および硬貨搬送ベルト７４の幅方向両側端をガイドする硬貨通路構成部（第１の硬貨通路構成部１１５  および第２の硬貨通路構成部１３４  ）とを有し、この硬貨通路構成部によって硬貨搬送ベルト７４に横搬送ベルト域７６および上昇搬送ベルト域７７が形成され、これら横搬送ベルト域７６および上昇搬送ベルト域７７のベルト表面が硬貨を搬送する硬貨搬送通路面７８とされる硬貨搬送ベルト装置７１において、固定手段１５１  を外し、硬貨搬送ベルト７４の幅方向両側端をガイドする第１の硬貨通路構成部１１５  を有する第１のフレーム１０１  と硬貨搬送ベルト７４のベルト表面の幅方向両側域をガイドする第２の硬貨通路構成部１３４  を有する第２のフレームと１０２  を分離して、硬貨搬送ベルト７４の表面を露出させ、さらに、その硬貨搬送ベルト７４を、硬貨搬送ベルト７４の掛け回し形状に略沿った外形状でかつ硬貨搬送ベルト７４の内側が通過可能とする外形状に形成された一方のフレーム部１１１  の外側を通じて第１のフレーム１０１  から容易に外すことができ、かつ、逆の操作で硬貨搬送ベルト７４を容易に取り付けることができ、したがって、第１のフレーム１０１  と第２のフレーム１０２  とを分離するだけで、硬貨搬送ベルト７４を容易に交換することができる。
【００９０】
特に、第１のフレーム１０１  と第２のフレーム１０２  との間で硬貨搬送ベルト７４に横搬送ベルト域７６および上昇搬送ベルト域７７が略Ｌ字状に形成され、第１のフレーム１０１  と第２のフレーム１０２  とを分離することで、横搬送ベルト域７６の先端（上昇搬送ベルト域７７と反対側）と上昇搬送ベルト域７７の上端との間で硬貨搬送ベルト７２にたるみが生じるので、硬貨搬送ベルト７２を第１のフレーム１０１  から容易に外すことができる。
【００９１】
第２の硬貨通路構成部１３４  が、硬貨搬送ベルト７４の表面をガイドするガイドローラ１３６  を有しているので、硬貨搬送ベルト７４の回動を円滑にできるとともに摩耗を低減できる。
【００９２】
第１のフレーム１０１  と第２のフレーム１０２  とを組み合わせる際、第１のフレーム１０１  のローラ１５２  が第２のフレーム１０２  の位置決め体１５３  の溝部１５５  に係合するとともに、第１のフレーム１０１  の両側面が第２のフレーム１０２  の両側の位置決め体１５３  の係合部１５４  に係合することにより、第１のフレーム１０１  と第２のフレーム１０２  との組み合わせ方向（前後方向）および幅方向を容易に位置決めできる。なお、第１のフレーム１０１  に位置決め体１５３  を、第２のフレーム１０２  にローラ１５２  を設けても、同様の作用効果を奏する。また、ローラ１５２  を用いることにより位置決め体１５３  の溝部１５５  に円滑に係合することができるが、軸状の突部でも同様に位置決めできる。
【００９３】
また、本実施の形態では、第１のフレーム１０１  に対して第３のフレーム１０３も  取り外しができるので、メンテナンスを容易にできる効果がある。
【００９４】
なお、前記実施の形態では、硬貨搬送ベルト７４に横搬送ベルト域７６および上昇搬送ベルト域７７を有する場合を示したが、横搬送ベルト域７６および上昇搬送ベルト域７７のいずれか一方のみを有する場合にも、あるいは傾斜状の傾斜搬送ベルト域を有する場合にも、前記実施の形態と同様の構成を適用することにより同様の作用効果を奏する。
【００９５】
【発明の効果】
請求項１記載の硬貨搬送ベルト装置によれば、固定手段を外し、硬貨搬送ベルトの幅方向両側端をガイドする第１の硬貨通路構成部を有する第１のフレームと硬貨搬送ベルトのベルト表面の幅方向両側域をガイドする第２の硬貨通路構成部を有する第２のフレームとを分離して、硬貨搬送ベルトの表面を露出させ、さらに、その硬貨搬送ベルトを、硬貨搬送ベルトの掛け回し形状に略沿った外形状でかつ硬貨搬送ベルトの内側が通過可能とする外形状に形成された一方のフレーム部の外側を通じて第１のフレームから容易に外すことができ、かつ、逆の操作で硬貨搬送ベルトを容易に取り付けることができ、したがって、第１のフレームと第２のフレームとを分離するだけで、硬貨搬送ベルトを容易に交換することができる。
【００９６】
請求項２記載の硬貨搬送ベルト装置によれば、請求項１記載の硬貨搬送ベルト装置の効果に加えて、第２の硬貨通路構成部が、硬貨搬送ベルトの表面をガイドするガイドローラを有しているので、硬貨搬送ベルトの回動を円滑にできるとともに摩耗を低減できる。
【００９７】
請求項３記載の硬貨搬送ベルト装置によれば、請求項１または２記載の硬貨搬送ベルト装置の効果に加えて、第１のフレームと第２のフレームとを組み合わせる際、第１のフレームおよび第２のフレームの一方が有する両側の突部を他方が有する両側の位置決め体の溝部に係合するとともに、一方の両側面が両側の位置決め体の係合部に係合することにより、第１のフレームと第２のフレームとを組み合わせた状態で容易に位置決めできる。
【図面の簡単な説明】
【図１】本発明の一実施の形態を示す硬貨処理機内に装着した状態の硬貨搬送ベルト装置の側面図である。
【図２】同上硬貨処理機から外した状態の硬貨搬送ベルト装置の側面図である。
【図３】同上第２のフレームを分離した状態の硬貨搬送ベルト装置の側面図である。
【図４】同上図３の矢印Ａ方向から見た正面図である。
【図５】同上図２のＢ−Ｂ断面図である。
【図６】同上図２のＣ−Ｃ断面図である。
【図７】同上（ａ）  は第３のフレームの背面図、（ｂ）  は第３のフレームの側面図である。
【図８】同上硬貨詰まり検知機構の側面図である。
【図９】同上硬貨詰まり検知機構の背面図である。
【図１０】同上硬貨処理機の概略構成図である。
【符号の説明】
７１    硬貨搬送ベルト装置
７３    回転体
７４    硬貨搬送ベルト
１０１    第１のフレーム
１０２    第２のフレーム
１１１    フレーム部
１１５    第１の硬貨通路構成部
１３４    第２の硬貨通路構成部
１３６    ガイドローラ
１５１    固定手段
１５２    突部としてのローラ
１５３    位置決め体
１５４    係合部
１５５    溝部
【図１】
0003630578.tif 000002
【図２】
0003630578.tif 000003
【図３】
0003630578.tif 000004
【図４】
0003630578.tif 000005
【図５】
0003630578.tif 000006
【図６】
0003630578.tif 000007
【図７】
0003630578.tif 000008
【図８】
0003630578.tif 000009
【図９】
0003630578.tif 000010
【図１０】
0003630578.tif 000011